(57)【要約】【課題】簡単な構造で、安定した緯入れが可能な空気噴射式織機の緯糸飛走制御装置を提供する。【解決手段】織機の筬１２と一体的にまたは別体に設けられ、筬１２の長手方向に沿って設けられた複数の空気噴射孔２２を備える。空気噴射孔２２は、筬１２に沿って設けられた空気噴射パイプ２０に形成され、筬１２に設けられた補助ノズル３０の噴射方向とは異なる方向であって筬１２の前方に設けられ、筬１２の緯糸案内部１８に向かって形成されている。空気噴射孔２２は、補助ノズル３０間に配置された飛走制御補助ノズル４２に形成しても良い。【選択図】　　　　図１
2004107819.tif 000002
【特許請求の範囲】
【請求項１】
織機の筬と一体的にまたは別体として設けられ、筬の長手方向に沿って設けられた複数の空気噴射孔を備え、この空気噴射孔は、上記筬に設けられた補助ノズルの噴射方向とは異なる方向であって上記筬の前方に設けられ、上記筬の緯糸案内部に向かって形成されたことを特徴とする空気噴射式織機の緯糸飛走制御装置。
【請求項２】
上記空気噴射孔は、筬に沿って設けられた空気噴射パイプに形成されたことを特徴とする請求項１記載の空気噴射式織機の緯糸飛走制御装置。
【請求項３】
上記空気噴射孔は、筬に沿って設けられた補助ノズル間に配置された飛走制御補助ノズルに形成されたものであることを特徴とする請求項１記載の空気噴射式織機の緯糸飛走制御装置。
【請求項４】
上記飛走制御補助ノズルは、筬に沿って設けられた補助ノズル間に配置され、この補助ノズルよりも上記筬から遠い位置に配置されたことを特徴とする請求項３記載の空気噴射式織機の緯糸飛走制御装置。
【請求項５】
上記飛走制御補助ノズルは、筬に沿って設けられた補助ノズル間に配置され、空気噴射方向が上方に向けられていることを特徴とする請求項３記載の空気噴射式織機の緯糸飛走制御装置。
【請求項６】
上記空気噴射孔は、筬に沿って設けられた補助ノズルの先端部に形成され、この補助ノズルの緯糸搬送用の空気噴射よりも上方を向いて噴射が行われるように上記補助ノズルの先端部に形成されていることを特徴とする請求項１記載の空気噴射式織機の緯糸飛走制御装置。
【発明の詳細な説明】
【０００１】
【発明の属する技術分野】
この発明は、空気の噴射により緯入れする空気噴射式織機の緯糸飛走制御装置に関する。
【０００２】
【従来の技術】
【特許文献１】特開昭６０−５９１５１号公報
従来、空気噴射により緯入れする空気噴射式の織機は、緯糸案内用の凹溝を有した筬を用いて、この筬の案内溝に沿って緯入れ用の空気噴射が行われ、この案内溝に沿って飛走した緯糸が筬により筬打ちされるものである。
【０００３】
また、特開昭６０−５９１５１号公報に開示されているように、筬に沿って補助ノズルが設けられ、この補助ノズルと対を成して補助ノズルの空気噴射の拡散を防止するために、補助ノズルの噴射方向と平行に空気を噴射する別の補助ノズルを設けた空気噴射式織機の緯入れ装置も提案されている。
【０００４】
【発明が解決しようとする課題】
上記従来の技術の前者の場合、筬の緯糸案内溝に沿って緯入れされた緯糸が、緯糸飛走路である緯糸案内溝から外れてしまう場合があった。これは、その緯糸の物性や、筬での空気の漏れや筬の汚れ等の筬の状態、その他筬に設けられた補助ノズルの噴射方向の設定具合等により、緯糸飛走路から緯糸が外れてしまうものである。そして、緯糸が緯糸案内溝から外れてしまうと、その緯糸には補助ノズルからの噴流が十分に当たらず、緯糸飛走が不安定になってしまうものであった。
【０００５】
また上記従来の技術の後者の場合、単に補助ノズルと対を成して補助ノズルの噴射方向と平行に噴射する別の補助ノズルを設けただけであり、緯糸飛走路に向かって別の補助ノズルの空気噴射が行われるため、補助ノズルの空気噴射との干渉が生じ、かえって緯糸飛走が不安定になる恐れがある。また、緯糸飛走路に向かって補助ノズルの空気噴射と平行に別の補助ノズルの空気噴射が行われるので、一旦緯糸飛走路から緯糸が外れると、その外れた緯糸には空気噴射が十分に当たらず、緯糸飛走が不安定となってしまうものである。
【０００６】
この発明は上記従来の問題点に鑑みてなされたものであり、簡単な構造で、安定した緯入れが可能な空気噴射式織機の緯糸飛走制御装置を提供することを目的とする。
【０００７】
【課題を解決するための手段】
この発明は、織機の筬と一体的にまたは別体として設けられ、筬の長手方向に沿って設けられた複数の空気噴射孔を備え、この空気噴射孔は、上記筬に設けられた補助ノズルの噴射方向とは異なる方向であって上記筬の前方に設けられ、上記筬の緯糸案内部に向かって、この空気噴射孔からの空気噴射により緯糸飛走路から緯糸が外れないように形成された空気噴射式織機の緯糸飛走制御装置である。
【０００８】
なお、この発明で言う「織機の筬と一体に」とは、筬と一緒に揺動する部材８ここでは後述する図示しない筬保持具）に設けられていることであり、「織機の筬と別体として」とは、筬と一緒に揺動する部材に設けずに、筬や補助ノズルと干渉しない位置に固定することを言う。
【０００９】
上記空気噴射孔は、筬に沿って設けられた空気噴射パイプに形成されたものや、筬に沿って設けられた補助ノズル間に配置された飛走制御補助ノズルに形成されたものである。上記飛走制御補助ノズルは、筬に沿って設けられた補助ノズル間に配置され、この補助ノズルよりも上記筬から遠い位置に配置されている。また上記飛走制御補助ノズルは、筬に沿って設けられた補助ノズル間に配置され、空気噴射方向が筬の緯糸案内部に向けて上方に向けられている。または、上記空気噴射孔は、筬に沿って設けられた補助ノズルの先端部に形成され、この補助ノズルの緯糸搬送用の空気噴射よりも上方を向いて噴射が行われるように上記補助ノズルの先端部に形成されているものでも良い。
【００１０】
この発明の空気噴射式織機の緯糸飛走制御装置は、筬の前方から筬の緯糸案内部である緯糸飛走路に向かって、補助ノズルの噴射方向とは異なる方向で空気噴射が行われ、緯糸飛走路から外れようとする緯糸を緯糸飛走路内に規制し、また緯糸飛走路から外れた緯糸を確実に緯糸案内部の緯糸飛走路に戻すことによって緯糸飛走路内における緯糸の飛走位置が制御され、もって安定した緯入れを可能にするものである。
【００１１】
【発明の実施の形態】
以下、この発明の実施の形態について図面に基づいて説明する。図１〜図３はは、この発明の第一実施形態を示すもので、この実施形態の空気噴射式織機の緯糸飛走制御装置１０は、多数の薄い筬羽を有した筬１２と一体に設けられている。筬１２は、互いに等間隔に位置した筬羽の表裏の側面が経糸１４の開口面に対して平行に設けられ、筬羽には、緯糸１６が空気噴射により通過する緯糸飛走路となる緯糸案内部１８が形成されている。また、筬１２には、筬１２の緯糸案内部１８に沿って、緯入れ方向に空気噴射を行う緯入れ用の補助ノズル３０が所定間隔で設けられている。
【００１２】
この実施形態の緯糸飛走制御装置１０は、織機に揺動自在に設けられ図示しない駆動機構により所定の揺動運動を行なう筬保持具に取り付けられ、筬１２と一体に設けられた空気噴射パイプ２０を有する。空気噴射パイプ２０は、筬１２の長手方向に沿って筬１２の下方に設けられている。この空気噴射パイプ２０の、筬１２の長手方向に沿った所定の複数箇所には、所定間隔で側方に形成された空気噴射孔２２が形成され、この空気噴射孔２２は、筬１２の緯糸案内部１８に向かって形成されている。そして、空気噴射パイプ２０には、電磁弁２４、圧力調整用のレギュレータ２６を介して圧縮空気を生成するコンプレッサ等のエア源２８が接続されている。
【００１３】
また、緯入れ装置は、図１に示すように、織機機台に設けられ緯糸１６を送り出す給糸体３２を有し、給糸体３２から引き出された緯糸１６が、測長貯留装置３４により測長貯留される。測長貯留装置３４により貯留された緯糸１６は、図示しない制御装置からの解舒信号により解舒されて、主ノズル３６による空気噴射により緯入れされる。
【００１４】
次に、この実施形態の緯糸飛走制御装置１０の動作作用について説明する。まず、主ノズル３６により緯入れされた緯糸１６は、筬１２の緯糸案内部１８に沿って飛走し、さらに、補助ノズル３０による空気噴射により緯糸案内部１８に沿って緯糸１６の飛走がガイドされる。さらに、筬１２に設けられた空気噴射パイプ２０の空気噴射孔２２から、緯糸飛走路である緯糸案内部１８に向かって空気が噴射され、緯糸飛走路を外れようとする緯糸１６を緯糸案内部１８に戻す。ここで、空気噴射パイプ２０の空気噴射孔２２から噴射される空気は、電磁弁２４により、緯入れのタイミングに合わせて噴射される。この制御は、図示しない制御装置により行われる。
【００１５】
この実施形態の緯糸飛走制御装置１０によれば、緯糸案内部１８に向かって噴射される空気流により緯糸飛走路から外れようとする緯糸１６を確実に戻し、安定した緯入れを可能にする。また、電磁弁２４により緯入れに合わせて空気噴射孔２２から空気噴射を行うようにすることによって、空気噴射量を少なくし、省エネ化することができる。
【００１６】
なお、この空気噴射パイプ２０は織布３８に対して上方下方の何れに設けても良く、また、空気噴射パイプ２０は筬１２と一体でなくても良く、筬保持具には取り付けられずに別体として筬１２、補助ノズル３０と干渉しない位置に配置し、図２のように緯糸案内部１８（好ましくは緯糸案内部１８の上あご付近）に向けて空気を噴射しても良い。さらに、パイプ長及び空気噴射孔２２の設置幅は、織布３８の全幅でも良く、緯糸１６が飛び出しやすい部分に設けても良い。また、空気噴射孔２２の孔径や孔ピッチも緯糸１６の飛び出しやすさに合わせて適宜設定するものである。例えば、緯入れが不安定になりやすい緯入れ後半部分に空気噴射孔２２の数を増やしても良い。また、電磁弁２４の動作は、緯入れ期間に合わせて空気噴射孔２２から空気を噴射させる他、織機運転中は常時噴射し、織機停止中は噴射を止めるようにしても良く、電磁弁を設けずに織機運転中は手動で常時噴射されるようにしても良い。
【００１７】
次にこの発明の第二実施形態の緯糸飛走制御装置４０について、図４を基にして説明する。ここで上記実施形態と同様の部材は同一符号を付して説明を省略する。この実施形態の緯糸飛走制御装置４０は、筬１２の緯糸案内部１８に空気を噴射する空気噴射孔が、エア源に接続されたパイプに繋がれた複数の飛走制御補助ノズル４２に設けられたものである。この複数の飛走制御補助ノズル４２は、補助ノズル３０間に配置され、補助ノズル３０に対して筬１２からの距離を離して設けられ、緯糸１６が緯糸飛走路から外れようとするのを確実に戻すように設けられている。また、飛走制御補助ノズル４２を図示しない取付片を介して筬１２に設け、緯糸方向及び経糸方向に位置調整可能としても良い。
【００１８】
この実施形態の緯糸飛走制御装置４０によれば、上記実施形態の効果と同様の効果を得ることができ、さらに、飛走制御補助ノズル４２を緯糸飛走路に近づけることができ、より確実な緯糸飛走制御が可能となる。
【００１９】
次にこの発明の第三実施形態の空気噴射式織機の緯糸飛走制御装置５０について、図５を基にして説明する。ここで上記実施形態と同様の部材は同一符号を付して説明を省略する。この実施形態の緯糸飛走制御装置５０も、補助ノズル３０間に設けられた飛走制御補助ノズル５２から成るもので、この複数の飛走制御補助ノズル５２は、補助ノズル３０と同じ並びに沿って配設され、空気噴射方向が筬の緯糸案内部に向けて上方に向けられているものである。これによっても、緯糸１６が緯糸飛走路から外れようとするのを確実に戻すことができる。
【００２０】
なお、この実施形態の緯糸飛走制御装置５０の飛走制御補助ノズル５２は、図６に示すように、補助ノズル３０と兼用して、補助ノズル３０の噴射孔３１の他に、補助ノズル３０の頂部に空気噴射孔２２を形成しても良い。これにより、部材を共用し、コストを下げることができる。
【００２１】
なお、この発明の空気噴射式織機の緯糸飛走制御装置は、上記各実施形態に限定されるものではなく、緯糸飛走制御用の空気噴射孔の数や位置、構成は適宜設定可能なものである。
【００２２】
【発明の効果】
この発明の空気噴射式織機の緯糸飛走制御装置は、緯糸飛走路から外れようとする緯糸を確実に戻し、安定な緯入れを可能にするものである。また、飛走制御補助ノズルを用いることにより、空気噴射孔を緯糸飛走路に近づけることができ、より確実に緯糸の飛走路からの飛び出しを防止することができる。また、緯糸飛走制御用の空気噴射孔を補助ノズルに形成することにより、より構造を簡略化することができる。
【図面の簡単な説明】
【図１】この発明の第一実施形態の緯糸飛走制御装置を示す概略平面図である。
【図２】この実施形態の緯糸飛走制御装置を示す概略縦断面図である。
【図３】この実施形態の緯糸飛走制御装置を示す拡大正面図である。
【図４】この発明の第二実施形態の緯糸飛走制御装置を示す縦断面図（ａ）と概略正面図（ｂ）である。
【図５】この発明の第三実施形態の緯糸飛走制御装置を示す縦断面図（ａ）と概略正面図（ｂ）である。
【図６】この発明の第三実施形態の飛走制御補助ノズルの変形例を示す縦断面図である。
【符号の説明】
１０　　緯糸飛走制御装置
１２　　筬
１４　　経糸
１６　　緯糸
１８　　緯糸案内部
２０　　空気噴射パイプ
２２　　空気噴射孔
２４　　電磁弁
２６　　レギュレータ
２８　　エア源
３０　　補助ノズル
３６　　主ノズル
４２　　走制御補助ノズル
【図１】
2004107819.tif 000003
【図２】
2004107819.tif 000004
【図３】
2004107819.tif 000005
【図４】
2004107819.tif 000006
【図５】
2004107819.tif 000007
【図６】
2004107819.tif 000008